(57)【要約】  ２つの独立可動撓みシステムが単一の磁気構造全体に亘って分割されたクライオクーラ。パッケージのサイズを小さくし、外部からの力による片持ち式の部分の弛みへの耐性を高める。一連の同心的に配置された撓み接続シャフトが、２つの独立可動撓みアセンブリが単一のモータ全体に亘って分割されるように設けられている。また、一連のコネクタが、外側シャフトを通過するモータの前方側に設けられており、内側接続シャフトが干渉なくこの撓み部に装着されることを可能にする。一連の閉鎖接続部が、後方の撓みスタックに設けられており、アセンブリを形成し、干渉なく堅い機械的な接続を果す。
2010530517.tif 000002
【特許請求の範囲】
【請求項１】
第１の長軸に沿って移動するように設けられた第１の要素（２４）のためのサスペンションシステム（１０）において、このシステムは、
前記第１の要素（２４）のアラインメントを維持するために、第１の要素の第１の端部で第１の要素に接続された第１のメカニズム（１２）と、
前記第１の要素（２４）のアラインメントを維持するための第２のメカニズム（１４）と、
前記第１のメカニズム（１２）を前記第２のメカニズム（１４）に機械的に結合させるための第３のメカニズム（２８）と、を具備し、
前記第２のメカニズム（１４）は、前記第１の要素が、第１と第２のメカニズム（１２、１４）の間に部分的に又は全体的に位置されるように、第１の要素（２４）の第２の端部に配置されていることを特徴とするサスペンションシステム（１０）。
【請求項２】
前記第１のメカニズムは、第１の撓みスタック（１２）である請求項１の発明。
【請求項３】
前記第２のメカニズムは、第２の撓みスタック（１４）である請求項２の発明。
【請求項４】
前記第３のメカニズムは、チューブ（２８）である請求項１の発明。
【請求項５】
前記第３のメカニズムは、前記第１の要素のチューブ状の延長部である請求項１の発明。
【請求項６】
前記第１の長軸に沿って移動するように設けられた第２の要素（２６）をさらに具備する請求項１の発明。
【請求項７】
前記第２の要素（２６）は、前記第１のメカニズム（１２）と第２のメカニズム（１４）との間に少なくとも部分的に位置されている請求項６の発明。
【請求項８】
前記第２の要素のアラインメントを維持するために、第２の要素の第１の端部で前記第２の要素（２６）に結合された第４のメカニズム（１８）をさらに具備する請求項７の発明。
【請求項９】
前記第２の要素（２６）のアラインメントを維持するための第５のメカニズム（１６）をさらに具備し、
前記第５のメカニズム（１６）は、前記第２の要素が、前記第４のメカニズム（１８）と第５のメカニズム（１６）との間に部分的に又は全体的に位置されているように、前記第２の要素（２６）の第２の端部に配置されている請求項８の発明。
【請求項１０】
前記第４のメカニズム（１８）を前記第５のメカニズム（１６）に機械的に結合させるための第６のメカニズム（３２）をさらに具備する請求項９の発明。
【請求項１１】
前記第４のメカニズムは、第３の撓みスタック（１８）である請求項１０の発明。
【請求項１２】
前記第５のメカニズムは、第４の撓みスタック（１６）である請求項１１の発明。
【請求項１３】
前記第６のメカニズムは、チューブ（３２）又は前記第２の要素の延長部である請求項１０の発明。
【請求項１４】
前記第６のメカニズム（３２）は、前記第３のメカニズム（２８）と同軸である請求項１３の発明。
【請求項１５】
前記第３のメカニズム（２８）は、コンプレッサのピストン又は第３のメカニズムの延長部である請求項１０の発明。
【請求項１６】
前記第６のメカニズム（３２）は、スターリングディスプレーサのピストン又はこの第６のメカニズムの延長部である請求項１５の発明。
【請求項１７】
前記コンプレッサ（２８）及びピストン（３２）は、磁気回路（２２）の磁場内に設けられたコイルによって駆動される請求項１５の発明。
【発明の詳細な説明】
【技術分野】
【０００１】
本発明は、極低温冷却器（cryogenic cooler）に関する。特に、本発明は、極低温冷却器を懸架し、かつ支持するためのシステム及び方法に関する。
【背景技術】
【０００２】
空間赤外線センサシステムは、センサの性能を高めるために、極低温冷却サブシステムの使用をしばしば必要とする。他のタイプと比べて各々が比較的強い性質や弱い性質を有する数多くのタイプの極低温冷却サブシステムが存在する。ある空間クライオクーラは、強い要請により、代表的には、効率性、動作上の適応性並びに振動性能を有する。しかし、これらの長所は、他の入手可能なシステムと比べて、増えた質量部分及び容積部分のコストを招く。
【０００３】
例えば、撓みを受ける（flexure-borne）可動アセンブリのアプリケーションは、最近のクライオクーラにおける最も重要な進展の１つである。なぜならば、通常のラビングシールに代わって、密接に保つ非接触クリアランスシールに対して、関連するかなり堅い径方向の堅さが使用されることを可能にするからである。これにより、クライオクーラの寿命が延びる。なぜならば、非接触クリアランスシールを使用することにより、ラビングシールに関連する数多くの汚染や劣化の問題を防げるからである。それ故、撓みを受ける可動アセンブリを使用することによる利益は、動作中、及び外部からの側部荷重力が加えられたとき（例えば、宇宙船の発射時）、これらのクリアランスシールで適切に中心決めされた可動部品を保つ撓みシステムの能力に依存している。
【０００４】
クライオクーラのクリアランスシールのデザインに関連する機械的な実体は、可動システムの質量部分のうちのいくつかの部分が、撓みシステム自体から離れて片持ち式にされていることを規定している。片持ち式の部分は、本来、外部から加えられた力により弛みやすく、測定は、このような弛みが起こるのを防ぐようにして行わなければならない。
【０００５】
例えば、インラインのスターリングクライオクーラのデザインに提案された新規な特徴部分は、コンプレッサとスターリングディスプレーサのピストンとの両方を駆動させるために、単一の磁気構造の使用を必要とする。この形態では、コンプレッサとディスプレーサのピストンとの両方のための撓みサスペンションシステムが、単一の磁気構造の周りに何らかの方法で向けられなければならない。
【０００６】
通常は、コンプレッサのサスペンションは、クライオクーラの磁気回路の一方の側に完全に配置され、ディスプレーサのサスペンションは、これと対向している側に完全に位置される。コンプレッサとエキスパンダの可動部分との大部分は、サスペンション要素から離れて片持ち式にされている。この形態では、各サスペンションサブアセンブリのそれぞれの撓みスタックは、（コンプレッサとエキスパンダの可動要素との）片持ち式の部分が、側部荷重力が加えられたときに弛まないように、十分な径方向の堅さを与えるために離間されなければならない。撓み部を離間することによって、径方向に対する撓み部の有効な機械的倍率は増加する。
【０００７】
しかし、この構成は、パッケージングの観点からは、かなり効率が悪い。特に、モータの各側の撓み部は、片持ち式のピストンの弛みを減らすために、かなり離れた距離に離間されなければならない。撓みスタックの間のこの間隔は、デザイン全体にかなりの長さを加える。
【０００８】
従って、従来において、クライオクーラのようなシステムの可動要素を十分に懸架し、かつ必要なパッケージ容積部分及び質量部分を最小にするシステム又は方法に対する必要性が残っている。
【発明の概要】
【０００９】
従来における必要性は、本発明のサスペンションシステムによって対処される。例示的な実施の形態では、本発明のシステムは、第１の長軸に沿って移動するように装着された第１の要素と共に使用するように形成されており、前記第１の要素のアラインメントを維持するために、第１の要素の第１の端部で第１の要素に結合された第１のメカニズムと、前記第１の要素のアラインメントを維持するための第２のメカニズムとを有し、この第２のメカニズムは、前記第１の要素が、大部分が第１と第２のメカニズムの間に配置されるように、第１の要素の第２の端部に配置されている。また、第３のメカニズムは、前記第１のメカニズムを前記第２のメカニズムに機械的に結合するために設けられている。
【００１０】
例示的な実施の形態では、前記第１のメカニズムは、第１の撓みスタックであり、前記第２のメカニズムは、第２の撓みスタックであり、前記第３のメカニズムは、チューブである。特定の実施の形態では、第２の要素が、前記第１の長軸に沿って移動するように設けられている。第２の要素は、前記第１と第２のメカニズムの間に少なくとも部分的に配置されている。また、第４のメカニズムが、前記第２の要素のアラインメントを維持するために、第２の要素の第１の端部で前記第２の要素に結合されている。さらに、第５のメカニズムが、第２の要素のアラインメントを維持するために設けられている。第５のメカニズムは、前記第２の要素が、大部分が第４と第５のメカニズムの間に位置されているように、第２の要素の第２の端部に配置されている。第６のメカニズムは、前記第４のメカニズムを前記第５のメカニズムに機械的に結合している。第４のメカニズムは、第３の撓みスタックであり、第５のメカニズムは、第４の撓みスタックである。第６のメカニズムは、第３のメカニズムと同軸である。
【００１１】
例示的なアプリケーションでは、第３のメカニズムは、コンプレッサの一部であり、第６のメカニズムは、スターリングディスプレーサの一部である。コンプレッサ及びディスプレーサは、磁気回路の磁場内に設けられたコイルによって駆動される。
【００１２】
例示的な実施の形態では、各々が適切な距離だけ離された２つの離れた撓みスタックからなる２つの独立可動撓みシステムが、単一の磁気構造全体に亘って分割されており、パッケージサイズを小さくし、外部からの力による片持ち式の部分の弛みへの耐性をかなり高める。一連の同心向きの撓み接続シャフトが、２つの独立可動撓みアセンブリが単一のモータ全体に亘って分割されるのを可能にするように設けられている。また、一連のコネクタが、外側シャフトを貫通してモータの前方側に設けられており、内側接続シャフトが干渉なく撓み部に装着される。一連の閉じた（close-out）接続が、後方の撓みスタックに形成され、これは、アセンブリを形成可能にし、干渉なく機械的な堅い接続を与える。
【００１３】
本質的には、本発明は、各撓みシステムの２つの撓みスタックの間の通常は使用されない空間が、クライオクーラのモータの磁気回路により占められることを可能にし、撓み部の間隔に対して使用されない容積部分がほとんど必要なく、パッケージサイズの減少を果し、片持ち式の部分の弛みを防ぐために機械的に有利な必要性を維持する。本発明は、代表的なスターリングクライオクーラのメカニズムと比べると、本質的に簡単で、精度良く、安定性を与えるアラインメント手順で、比較的低い統合レベルで、組み立てられ、調整されることができる。
【００１４】
例示的な実施の形態並びに好ましいアプリケーションが、本発明の効果的な教示を開示するために、添付図面を参照して以下に説明される。
【００１５】
本発明は、特定のアプリケーションのための例示的な実施の形態を参照してここに説明されるが、本発明はこれに限定されるものではないことが理解されるべきである。本教示に触れた当業者は、本発明の範囲内でのさらなる変更、アプリケーション並びに実施の形態を認識するであろうし、他の分野においても、本発明が有用とされるであろう。
【図面の簡単な説明】
【００１６】
【図１】図１は、通常の教示に従う２つの撓みスタックを備えたサスペンションシステムを有するクライオクーラの側断面図である。
【図２】図２は、本発明の教示の例示的な実施の形態に従うサスペンションシステムの簡略化した側断面図である。
【図３】図３は、図２のモータ及びサスペンションシステムをより詳細に示す斜視断面図である。
【図４ａ】図４ａは、例示的な実施の形態のシステムのシャフトチューブ、モータコイル及び撓み部の斜視側面図である。
【図４ｂ】図４ｂは、例示的な実施の形態のサスペンションシステムのシャフトチューブ、モータコイル及び撓み部の断面における部分的な斜視側面図である。
【図４ｃ】図４ｃは、例示的な実施の形態のサスペンションシステムのシャフトチューブ、モータコイル及び撓み部の側断面図である。
【図５】図５は、明確化のために、ハウジング、撓みスタック、モータケージ及びモータコイルを取り除いたサスペンションシステムのシャフト及び撓み部の部分的な斜視端面図である。
【図６】図６は、本発明の教示の例示的な実施の形態に従う完全な冷却システムの側断面図である。
【発明を実施するための形態】
【００１７】
R. C. Honらによって＿に出願され、「２つのコイルの単一の磁気回路のモータを備えたスターリングサイクル極低温冷却器」と題された米国特許出願番号＿（Atty. Docket No. PD 06Ｗ124）の教示が、参照としてここに含まれる。この出願は、単一のモータが２つの独立可動アセンブリを駆動させるために使用されるという慣例から出発した新規かつ効果的な２つのコイルの単一の磁気回路のスターリングクライオクーラを開示し、主張している。
【００１８】
本発明は、上で参照された特許出願において説明されるようなコンプレッサとスターリングディスプレーサの可動要素とを機械的に支持するために使用されることができるような、２つの独立した撓みシステムを単一のモータ全体に亘って分割するためのシステム及び方法を提供する。本発明は、特に、単一の磁気回路の中心軸線のボアを通る２つの接続シャフトのルーティングにより生じる問題に対処する。最も基本的なレベルでは、デザインは、一方が他方の内側に同心的に配置された２つの中空の支持チューブからなる。新規な撓み部の取り付けの特徴部分は、内側チューブ（及び外側チューブを幾分）を特定の撓みスタックに接続することを必要とする。
【００１９】
上述のように、通常は、コンプレッサのサスペンションは、クライオクーラの磁気回路の一方の側に完全に配置され、ディスプレーサのサスペンションは、これと対向している側に完全に位置される。この代表的な方法は、これらの間にいくつかの間隔を備えた２組の撓み部（撓みスタック）から各可動アセンブリを懸架することである。このような単一のコンプレッサのピストンが、図１に示される。
【００２０】
図１は、通常の教示に従う２つの撓みスタックを備えたサスペンションシステムを有するクライオクーラコンプレッサの側断面図である。このシステム１０’では、各サスペンションサブアセンブリのそれぞれの撓みスタック１４’、１６’が、側部荷重力が加えられたときに、ピストン１２’のような片持ち式の部分がそらされたり、変形したり、弛んだりしないように、十分な径方向の堅さを与えるために離間されていなければならない。
【００２１】
撓みスタックの間の最小距離は、それぞれの撓みスタックの径方向の堅さ、片持ち式の部分の実際の重さ及び適切なクリアランスシール内で、かつ適切な側部荷重の大きさの下で、許容される径方向の歪みによって決定される。実際には、可動アセンブリ１２’は、支点として作用する片持ち式の部分に最も近い撓みスタック１４’と共に、レバーアームとして機能する。片持ち式の部分１２’から離れた撓みスタック１６’の径方向の堅さは、レバーアームと支点とによって与えられる機械的倍率によって効果的に高められる。従って、撓みスタックの間の距離が長ければ、片持ち式の部分１２’の支持されていない端部の弛みに対する耐性が大きい。
【００２２】
当業者は、撓みスタックの間の距離が長いことが、弛みへの耐性の観点から効果的であるが、パッケージの観点から明確な欠点を有することを理解するであろう。なぜならば、撓み部の間の距離により、パッケージの長さが長くなることが明らかだからである。単一の可動要素の撓み部の間に磁気回路を配置することはかなり簡単であるが、２つの可動要素（従って、２つの撓みサスペンションシステム）が存在しているとき、これを果す方法は、かなり明らかではない。
【００２３】
本教示は、撓みスタックの間の容積の内部に駆動モータの磁性体を配置することによって、このさらなる必要な長さを減らす方法を提供する。これは、図２に示される。
【００２４】
図２は、本教示の例示的な実施の形態に従うサスペンションシステムの簡略化した側断面図である。図２に示されるように、クライオクーラ１０は、２つの撓みシステム１２／１４と１６／１８とを有し、各々が、モータ２０全体に亘って分割されている。このモータ２０は、磁気回路２２と、コンプレッサコイル及びボビンアセンブリ２４と、上で参照された特許出願において説明されるようなデザイン及び構成のディスプレーサコイル及びボビンアセンブリ２６とを有する。当業者は、本教示が、図示される配置、又はコンプレッサやディスプレーサコイルの使用に限定されないことを理解するであろう。本教示は、他の軸線を中心とした、又は他の軸線に沿った動きに対して、第１の軸線に沿って動くように設けられた複数の要素を安定させる必要があるいかなるシステムにも適用可能である。
【００２５】
図２では、通常の第１及び第２の撓みスタック１２、１４が、モータの対向している側に配置され、モータ２０の中央（長手方向）の軸線の孔を通して送られた第１のシャフトチューブ２８に接続されている。この第１のシャフトチューブ２８は、接続要素３０によって第２のスタック１４に接続されている。第２のシャフトチューブ３２は、モータの一方の側にある第３の撓みスタック１８をモータの対向している側にある第４の撓みスタック１６に接続している。第２及び第４の撓みスタック１４、１８は、「前方」の撓みスタックであり、第１及び第３の撓みスタック１２、１６は、「後方」の撓みスタックである。これらの名称は、磁気回路の２つの側を区別するのに役立つ。前方の撓みスタックは、クライオクーラ１０の磁気アセンブリと熱力学的セクションとの間にある。
【００２６】
第４の撓みスタック１８は、標準ボルト締めインターフェースで外側支持チューブ３２（例示的な実施の形態ではスターリングディスプレーサ）に接続している。第２の撓みスタック１４は、一連のスタック可能な撓みクランプ留め具、即ち接続要素３０の使用によって、内側支持チューブ２８（例示的な実施の形態ではスターリングコンプレッサ）に接続している。以下により詳しく説明するように、これら要素は、外側チューブ内に切られたアクセススロット４０を通ってスターリングディスプレーサの外側支持チューブ３２を貫通している。接続要素は、支持チューブの開口後部を通して取り付けられる単一のソケットヘッドキャップねじ３３によって内側支持チューブ２８に取り付けられる。一形態では、このねじ３３は、スタック可能なクランプ留め具／ねじ／支持チューブアセンブリ全体がエポキシ接着され、安定化されることができるように、挿入可能である。接続要素を固定する他の選択肢も存在する。磁気アセンブリ（モータ）２０は、両支持チューブを収容するために、中心（長手方向）軸線上に孔を含む。
【００２７】
後方のコンプレッサの撓みスタック１２は、磁気アセンブリの後ろの空間を直接占め、コンプレッサの撓みスタックの内側ボルトサークルと噛合する放射状のスポークを有するハブによって、内側支持チューブ２８に接続している。この放射状にスポークを取り付けた特徴部分（spoked feature）は、少なくとも２つの方法で形成されることができる。第１の選択肢は、コンプレッサの支持チューブを備えたスポークを取り付けた特徴部分を統合して、２つが単一のピースとして機械加工されることによるものである。このデザインは、スポークを取り付けた特徴部分が、磁気アセンブリが支持チューブ全体に亘って摺動したときボアを通り抜けることができるように、磁気回路の中心のボアが十分大きい場合にのみ、適用可能である。
【００２８】
代わりのデザインは、磁気アセンブリが２つの支持チューブ全体に亘って取り付けられた後、コンプレッサの支持チューブに装着されるという実体のスポークを取り付けた特徴部分を形成する。これは、磁気的なデザインが十分な磁気性能を果すために比較的小さなボアを必要とするのであれば、有用である。この場合、ねじが形成されたリテーナリングは、スポークを取り付けた部分をコンプレッサの支持チューブに緊密にクランプ留めするために使用されることができる。
【００２９】
どちらの場合も、スポークを取り付けた特徴部分は、支持チューブを後方のコンプレッサ撓みアセンブリの内側ボルトサークルに取着するために使用される。
【００３０】
以下により詳しく開示されるように、エキスパンダの外側支持チューブ３２は、コンプレッサの内側支持チューブ２８がエキスパンダチューブ内に挿入されたとき、スポークを取り付けた特徴部分の通路を収容するために、溝が付けられている。残りの後方の撓みスタック１６は、図３に示されるように、他の全ての撓みスタックが組み立てられた後にチューブに取り付けられる媒介部品４１によって、エキスパンダの外側支持チューブの後方に取り付けられている。この部品は、エキスパンダの支持チューブ内の前述のスロットと係合し、このスロットを埋める特徴を示す。いったん部品が装着されると、これは、後方の撓みスタックの内側の孔のパターンをエキスパンダの支持チューブに取り付けるためのボルトサークルを与える。そして、内側の撓みボルトサークルが、エキスパンダの支持チューブに取り付けられることができる。より詳しいアセンブリ及びアラインメント（alignment）の手順が、以下に添えられる。
【００３１】
接続要素３０を除いて、クライオクーラ１０の構成要素は、主に環状である。撓みスタックは、通常のデザイン及び構成である。例示的な実施の形態では、第１及び第２のシャフト又はチューブは、同心的であり、チタニウム又は他の適切な材料で構成されている。
【００３２】
図３は、図２のモータおよびサスペンションシステムをより詳細に示す斜視断面図である。図３に示されるように、モータ２０の磁気回路２２は、バックアイロン（backiron）２９内に配置されたセンターポール２７によって分けられた第１及び第２の永久磁石２３、２５を有する。
【００３３】
図４ａは、例示的な実施の形態のサスペンションシステムのシャフトチューブ、モータコイル及び撓み部の部分的な斜視側面図である。外側シャフトチューブ３２内にスロット３４、３６、３８、４０が設けられていることに注意する。上側スロット３４、３６、３８は、内側シャフトチューブ２８のスポーク２９に第１の撓みスタック１２を接続させるが、下側のスロット４０のみが、接続要素３０のために内側シャフトチューブ２８から第２の撓みスタック１４への動きを結合させる。さらに、シャフトチューブ３２の長軸に沿った細長いスロット３４、３６、３８、４０が、撓み機構により必要とされ得るような、長軸を中心とした内側及び外側シャフトチューブの相対的な回転を果す。
【００３４】
また、図４ａには、スターリングディスプレーサのモータコイルのためのボビン及びコイルアセンブリ２５が示される。このボビンは、図示される２つの３１と３３との間に３つのスタンドオフを有する。
【００３５】
図４ｂは、例示的な実施の形態のサスペンションシステムのシャフトチューブ、モータコイル及び撓み部の断面の部分的な斜視側面図である。第２の撓みスタック１４は、この見方では、内側シャフトチューブ２８（図示されない）に接続している。第４の撓みスタック１８は、外側シャフトチューブ３２に接続している。
【００３６】
図４ｃは、例示的な実施の形態のサスペンションシステムのシャフトチューブ、モータコイル及び撓み部の部分的な側断面図である。図４ｃは、内側シャフトチューブ２８を第２の撓みスタック１４に接続するために使用されている接続要素３０を示している。図４ａないし図４ｃは、明確化のために、いかなる後方のサスペンションの構成要素も含んでいないことに注意する。
【００３７】
図５は、明確化のために、ハウジング、後方の撓みスタック、モータケージ及びコンプレッサモータコイルを取り除いたサスペンションシステムのシャフト及び撓み部の部分的な斜視端部図である。図５は、内側シャフトチューブ２８を第２の撓みスタック１４に接続するために、接続要素３０が外側シャフトチューブ３２の下側スロット（例えば、４０）を通ってどのように延びているかを示している。 
図６は、本教示の例示的な実施の形態に従う完全な冷却システムの側断面図である。図６に示されるように、このシステム１０は、モータ２０が配置されたハウジング５０を含む。モータ２０内には、磁気回路２２があり、コンプレッサ及びエキスパンダモータコイル２４、２６が、この磁気回路の磁束により相互作用する。上で説明されたように、コンプレッサコイル２４は、第１の撓みスタック１２に接続しており、また、エキスパンダコイル２６は、第４の撓みスタック１８に接続している。第１の撓みスタック１２は、安定化のために内側チューブ２８によって第２の撓みスタック１４に接続している。第４の撓みスタック１８は、安定化のために外側シャフトチューブ３２によって第３の撓みスタック１６に接続している。冷却ヘッド６０が、ハウジング５０の端部に設けられている。
【００３８】
要約すると、本発明は、単一の磁気回路全体に亘って２つの独立可動撓みサスペンションシステムを分割するためのシステム及び方法を提供する。磁気回路全体に亘って適切な撓みスタックを互いに接続するための機械的なデザインが本教示に従って実行されたとき、パッケージの全体的なサイズを実質的に小さくすることができる。
【００３９】
このように、本発明は、特定のアプリケーションのための特定の実施の形態を参照してここに説明される。本教示に触れた当業者は、この範囲内でさらなる修正、アプリケーション並びに実施の形態がなされることを認識するであろう。
【００４０】
それ故、添付の特許請求の範囲によって、本発明の範囲内で、全てのこのようなアプリケーション、変更並びに実施の形態をカバーすることが意図されている。
【図１】
2010530517.tif 000003
【図２】
2010530517.tif 000004
【図３】
2010530517.tif 000005
【図４ａ】
2010530517.tif 000006
【図４ｂ】
2010530517.tif 000007
【図４ｃ】
2010530517.tif 000008
【図５】
2010530517.tif 000009
【図６】
2010530517.tif 000010
【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
変位アセンブリ（２０）の対向している側からそれぞれ延び、この変位アセンブリ（２０）の共通の長軸に沿って移動するように構成されている第１の軸方向移動要素（２４）及び第２の軸方向移動要素（２６）を有する変位アセンブリ（２０）と、
前記第２の軸方向移動要素（２６）の第１の端部に結合され、前記変位アセンブリ（２０）の第１の側に位置された第１の前方撓みスタック（１４）と、前記第１の軸方向移動要素（２４）の第１の端部に結合され、前記変位アセンブリ（２０）の第２の側に位置された第１の後方撓みスタック（１２）と、を有する第１の撓みスタックシステム（１２／１４）と、
前記第２の軸方向移動要素（２６）の第１の端部に結合され、前記変位アセンブリ（２０）の第１の側に位置された第２の前方撓みスタック（１８）と、前記変位アセンブリ（２０）の第２の側に位置された第２の後方撓みスタック（１６）と、を有する第２の撓みスタックシステム（１６／１８）と、
前記第１の撓みスタックシステム（１２／１４）の第１の後方撓みスタック（１２）と第１の前方撓みスタック（１４）とを機械的に結合させるための第１のカップリング（２８）と、を具備し、
これら第１及び第２の軸方向移動要素（２４，２６）は、前記変位アセンブリ（２０）に対して第１及び第２の軸方向移動要素（２４，２６）のアラインメントを維持するように、前記第１と第２の撓みスタックシステム（１２／１４，１６／１８）の間に部分的に又は全体的に位置されているサスペンションシステム（１０）。
【請求項２】
前記第１のカップリングは、チューブ（２８）である請求項１のサスペンションシステム。
【請求項３】
前記第１のカップリングは、前記第１の軸方向移動要素（２４）にほぼ平行に位置されたチューブの延長部（２８）である請求項１のサスペンションシステム。
【請求項４】
前記第１の前方撓みスタック（１４）は、前記第２の前方撓みスタック（１８）に結合されている請求項１ないし３のいずれか１のサスペンションシステム。
【請求項５】
前記第１の後方撓みスタック（１２）は、前記第２の後方撓みスタック（１６）に結合されている請求項１ないし４のいずれか１のサスペンションシステム。
【請求項６】
前記第２の前方撓みスタック（１８）を前記第２の後方撓みスタック（１６）に機械的に結合させるための第２のカップリング（３２）をさらに具備する請求項１ないし５のいずれか１のサスペンションシステム。
【請求項７】
前記第２のカップリング（３２）は、前記第２の軸方向移動要素（２６）とほぼ平行に位置されたチューブ（３２）である請求項６のサスペンションシステム。
【請求項８】
前記第２のカップリング（３２）は、前記第１のカップリング（２８）と同軸である請求項６又は７のサスペンションシステム。
【請求項９】
前記第１のカップリング（２８）は、コンプレッサのピストン又は第１のカップリングの延長部である請求項１ないし８のいずれか１のサスペンションシステム。
【請求項１０】
前記第２のカップリング（３２）は、スターリングディスプレーサのピストン又は第２のカップリングの延長部である請求項６のサスペンションシステム。
【請求項１１】
前記変位アセンブリは、前記共通の長軸に沿って前記第１及び第２の軸方向移動要素（２４，２６）を駆動させるために、磁場を発生させるように設けられた少なくとも１つのコイルを備えた磁気回路（２２）を有するモータ（２０）である請求項１ないし１０のサスペンションシステム。
【請求項１２】
前記第１及び第２の軸方向移動要素（２４，２６）は、それぞれモータ（２０）のボビンアセンブリである請求項１１のサスペンションシステム。
【請求項１３】
前記第１及び第２の前方撓みスタック（１４，１８）は、磁気回路（２２）とクライオクーラの熱力学的セクションとの間にある請求項１１のサスペンションシステム。
【請求項１４】
前記第１及び第２の軸方向移動要素（２４，２６）は、前記変位アセンブリ（２０）の同じボア内に少なくとも部分的に位置されている請求項１ないし１３のいずれか１のサスペンションシステム。
【請求項１５】
前記変位アセンブリ（２０）は、前記第１及び第２のカップリング（２８，３２）の両方を収容する中心のボアを有する請求項８のサスペンションシステム。
【手続補正２】
【補正対象書類名】明細書
【補正対象項目名】００１７
【補正方法】変更
【補正の内容】
【００１７】
R. C. Honらによって２００７年５月１６日に出願され、「２つのコイルの単一の磁気回路のモータを備えたスターリングサイクル極低温冷却器」と題された米国特許出願番号１１／８０５，３２０（Atty. Docket No. PD 06Ｗ124）の教示が、参照としてここに含まれる。この出願は、単一のモータが２つの独立可動アセンブリを駆動させるために使用されるという慣例から出発した新規かつ効果的な２つのコイルの単一の磁気回路のスターリングクライオクーラを開示し、主張している。
【国際調査報告】
2010530517.tif 000011
2010530517.tif 000012
2010530517.tif 000013
2010530517.tif 000014